(57)【要約】【課題】円弧流路に対する入口部付近での汚泥の沈降防止および、円弧流路からの出口部付近での内周部の逆流発生を抑えて、汚泥の沈降防止を図った水処理装置を提供する。【解決手段】オキシデーションディッチ槽１４は隔壁１１で仕切られた直線流路１２とこれら両直線流路１２の端部を互いに接続する円弧流路１３とからなる循環水路１７を有する。各円弧流路１７部分に外方向に向けて膨出する円弧状ガイド壁１８を備える。円弧状ガイド壁１８における循環水路１７の流れ方向Ｑに面する流入側端部が、直線流路１２に沿った流れ方向に対して内側に傾斜する内側入口角θ２を有して配置される。円弧状ガイド壁１８における流れ方向Ｑに対して前側に位置する流出側端部が、直線流路１２に沿った流れ方向Ｑに対して内側に傾斜する内側出口角θ３を有して配置される。【選択図】　　　　図１
2004122075.tif 000002
【特許請求の範囲】
【請求項１】
隔壁で仕切られた流入側直線流路および流出側直線流路と、これら両直線流路の端部を互いに接続する円弧流路とを備えた循環水路を有するオキシデーションディッチ槽の前記円弧流路部分に、外方向に向けて膨出する弧状ガイド壁を備えた水処理装置において、
前記弧状ガイド壁における前記循環水路の流れ方向に面する流入側端部が、前記直線流路に沿った流れ方向に対して内側に傾斜する内側入口角を有して配置されたことを特徴とする水処理装置。
【請求項２】
前記弧状ガイド壁における前記流れ方向に対して前側に位置する流出側端部が、前記直線流路に沿った流れ方向に対して内側に傾斜する内側出口角を有して配置されたことを特徴とする請求項１に記載の水処理装置。
【請求項３】
前記弧状ガイド壁の水平断面が前記流れ方向に沿った翼形状に形成されたことを特徴とする請求項１または請求項２に記載の水処理装置。
【発明の詳細な説明】
【０００１】
【発明の属する技術分野】
本発明は、オキシデーションディッチ槽における汚泥の沈降を有効に防止する水処理装置に関するものである。
【０００２】
【従来の技術】
下水や廃水を活性汚泥法により浄化処理する水処理装置があり、例えば、隔壁で仕切られた両側の直線流路と、両直線流路の端部をそれぞれ互いに接続する円弧流路とを備えた長円形オキシデーションディッチ槽を備え、これら直線流路や円弧流路により構成された循環水路内で汚水を撹拌しつつ循環させ、曝気処理を行う構造とされている。
【０００３】
また、図４に示される如く、円弧流路１部分に円弧状ガイド壁２を配置した構造のものがあり、流れが折り返される円弧流路１部分においては、外周側の流れが速く、内周側の流れが遅くなる傾向があり、流れの内周側、即ち内側に汚泥の沈降を招くおそれがあるため、循環水路３の流れ方向Ｐに対する折返し部の内側における汚泥の滞留や沈降を防止すべく、円弧状ガイド壁２を直線流路４からの汚水流入側が広く、汚水流出側が狭くなるように、隔壁５の軸延長線に対して偏心配置し、折返し部の内側における汚水の流出速度を速めた構造のものがある（例えば、特許文献１参照。）。
【０００４】
さらには、円弧状ガイド壁２における汚水流出側の端部を角度調整可能な可動式にして、オキシデーションディッチ槽６における内周部の流速を調整可能とした構造のものもある（例えば、特許文献２参照。）。
【０００５】
【特許文献１】
実公昭５８−３７５１３号公報
【特許文献２】
実開平５−５１４９９号公報
【０００６】
【発明が解決しようとする課題】
前記特許文献１に開示の装置によれば、円弧流路１の出口側において、外周部より低速となる内周部の流速を高めることを目的として、円弧状ガイド壁２を偏心配置した構造としている。
【０００７】
しかしながら、この構造によれば、円弧状ガイド壁２に対する汚水流入側、即ち入口側が広く、汚水流出側、即ち出口側が狭くなっているため、円弧状ガイド壁２内周部での流れに対する抵抗が大きくなり、入口側では図４に示されるような流速分布Ａになって円弧状ガイド壁２内側に対する入口部付近での流速の低下を招き、入口部付近に汚泥の沈降領域Ｂが生じるおそれがあった。
【０００８】
また、循環水路３の円弧流路１からの汚水流出側における流速の分布は図４に示されるような流速分布Ｃになり、円弧状ガイド壁２の内周面側から流れ出る汚水の流速は増速されるものの、隔壁５近くの内側流速が有効に確保できないため、流速の速い領域と遅い領域との差が大きくなり、この流速のアンバランスによって内周部に逆流域Ｄが発生し、汚泥の沈降を招くおそれがあった。
【０００９】
さらに、前記特許文献２に開示の装置においても、上記同様、円弧状ガイド壁２に対する入口部付近での流速の低下を招き、入口部付近に汚泥の沈降領域Ｂが生じるおそれがあり、出口部付近にも流速のアンバランスにより、逆流域Ｄを生じて、汚泥の沈降を招くおそれがあった。
【００１０】
そこで、本発明は上記問題点に鑑み、円弧流路に対する入口部付近での汚泥の沈降防止を図った水処理装置を提供すると共に、さらには、円弧流路からの出口部付近での内周部の逆流発生を抑えて、汚泥の沈降防止を図った水処理装置を提供することを目的とする。
【００１１】
【課題を解決するための手段】
上記目的を達成するための技術的手段は、隔壁で仕切られた流入側直線流路および流出側直線流路と、これら両直線流路の端部を互いに接続する円弧流路とを備えた循環水路を有するオキシデーションディッチ槽の前記円弧流路部分に、外方向に向けて膨出する弧状ガイド壁を備えた水処理装置において、前記弧状ガイド壁における前記循環水路の流れ方向に面する流入側端部が、前記直線流路に沿った流れ方向に対して内側に傾斜する内側入口角を有して配置された点にある。
【００１２】
また、前記弧状ガイド壁における前記流れ方向に対して前側に位置する流出側端部が、前記直線流路に沿った流れ方向に対して内側に傾斜する内側出口角を有して配置された構造としてもよい。
【００１３】
さらに、前記弧状ガイド壁の水平断面が前記流れ方向に沿った翼形状に形成された構造としてもよい。
【００１４】
【発明の実施の形態】
以下、本発明の第１の実施形態を図面に基づいて説明すると、図１に示される如く、水処理装置１０は、隔壁１１で仕切られた対の直線流路１２と、両直線流路１２の両端部をそれぞれ互いに接続する対の円弧流路１３とからなる長円形のオキシデーションディッチ槽１４を備え、直線流路１２内の適宜位置には、回転駆動されるプロペラ装置等からなる撹拌装置１５およびブロワ等から供給された空気を散気孔等から汚水中に噴出させる空気供給用の散気装置１６がそれぞれ設置されている。
【００１５】
そして、撹拌装置１５の回転駆動により、各直線流路１２および各円弧流路１３を通じて汚水を所定の流れ方向Ｑに沿って循環させる循環水路１７を構成している。
【００１６】
また、各円弧流路１３部分には、外方向に向けて膨出する弧状ガイド壁としての円弧状ガイド壁１８がそれそれ配置されている。本実施形態においては、各円弧状ガイド壁１８は半円状に構成され、隔壁１１の両端をそれぞれ中心として配置されると共に流れ方向Ｑに沿って０度より大きな適宜回転角θ１を有して配置されている。
【００１７】
ここに、円弧状ガイド壁１８における循環水路１７の流れ方向Ｑに面する流入側端部が、流入側の直線流路１２に沿った流れ方向Ｑに対して内側に傾斜する適宜内側入口角θ２を有して配置された構造とされている。
【００１８】
また、円弧状ガイド壁１８における循環水路１７の流れ方向Ｑに対して前側に位置する流出側端部が、流出側の直線流路１２に沿った流れ方向Ｑに対して内側に傾斜する内側出口角θ３を有して配置された構造とされている。
【００１９】
そして、散気装置１６から空気を噴出させた状態で、撹拌装置１５を回転駆動することにより、循環水路１７内の汚水を好気状態で所定の流れ方向Ｑに沿って循環させ、散気装置１６から空気の噴出を停止させた状態で、撹拌装置１５を回転駆動することにより、循環水路１７内の汚水を嫌気状態で所定の流れ方向Ｑに沿って循環させる構造とされている。
【００２０】
本実施形態は以上のように構成されており、循環水路１７内を流れ方向Ｑに沿って汚水が循環される際、円弧状ガイド壁１８の流入側端部が、流入側の直線流路１２に沿った流れ方向Ｑに対して内側入口角θ２を有しているため、汚水の流れに対して円弧状ガイド壁１８はいわゆる迎え角を有して配置された構造となり、円弧状ガイド壁１８により翼効果が生じて、流れによるうずの発生が抑えられ、流れの抵抗を減らすことができ、円弧状ガイド壁１８の外周面側の汚水の流れが増速される。このことから円弧状ガイド壁１８の内周面側での流れの抵抗を抑えることができ、ここに、円弧状ガイド壁１８内周面側における汚水の入口部付近での流速の低下が有効に防止でき、入口部付近での汚泥の沈降が有効に防止できる。
【００２１】
また、円弧状ガイド壁１８の外周面側の汚水の流れが増速され、円弧状ガイド壁１８の流出側端部が、流出側の直線流路１２に沿った流れ方向Ｑに対して内側出口角θ３を有しているため、円弧状ガイド壁１８における汚水の出口部付近での流速の分布は図１に示されるような滑らかな速度分布Ｅになり、出口部付近での流速のアンバランスに起因する内周部の逆流発生が有効に防止でき、出口部付近での汚泥の沈降も有効に防止できる。
【００２２】
従って、循環水路１７に沿って汚水を循環させるに際して、上記のように汚泥の沈降が有効に防止できるため、水処理装置１０としての浄化処理性能の向上が図れる。
【００２３】
図２は、第２の実施形態を示しており、前記第１の実施形態と同様構成部分は同一符号を付し、その説明を省略する。
【００２４】
即ち、第１の実施形態における円弧状ガイド壁１８の水平断面が流れ方向Ｑに沿って同じ肉厚に形成されているのに対し、本実施形態における円弧状ガイド壁１８の水平断面は、流れ方向Ｑに沿った翼形状に形成された構造とされている。
【００２５】
従って、本実施形態によれば、第１の実施形態と同様の効果が得られるだけでなく、円弧状ガイド壁１８が流れ方向Ｑに沿った翼形状に形成されているため、翼効果によってうずの発生がより効果的に抑えることができ、流れの抵抗をより効率よく減らすことができ、円弧状ガイド壁１８の外周面側の汚水の流れがより増速され、円弧状ガイド壁１８の内周面側での流れの抵抗をより効率的に抑えることができ、円弧状ガイド壁１８内周面側における汚水の入口部付近での流速の低下がより有効に防止でき、入口部付近での汚泥の沈降がより有効に防止できると共に、出口部付近での汚泥の沈降もより有効に防止でき、水処理装置１０としての浄化処理性能のより向上が図れる。
【００２６】
図３は、第３の実施形態を示しており、前記第１の実施形態と同様構成部分は同一符号を付し、その説明を省略する。
【００２７】
即ち、本実施形態によれば、円弧状ガイド壁１８における循環水路１７の流れ方向Ｑに面する流入側端部が、第１の実施形態と同様、流入側の直線流路１２に沿った流れ方向Ｑに対して内側に傾斜する適宜内側入口角θ２を有して配置された構造とされている。
【００２８】
また、円弧状ガイド壁１８における循環水路１７の流れ方向Ｑに対して前側に位置する流出側端部は、流出側の直線流路１２に沿った流れ方向Ｑとされ、内側出口角θ３を有しない構造とされている。
【００２９】
従って、本実施形態によれば、第１の実施形態と同様、円弧状ガイド壁１８の翼効果によって流れによるうずの発生が抑えられ、円弧状ガイド壁１８の外周面側の汚水の流れが増速されて円弧状ガイド壁１８の内周面側での流れの抵抗を抑えることができ、円弧状ガイド壁１８内周面側における汚水の入口部付近での汚泥の沈降が有効に防止できる利点がある。
【００３０】
なお、上記各実施形態において、円弧状ガイド壁１８が隔壁１１の一端を中心とした円弧状に形成された構造を示しているが、円弧状に限らず、流れ方向Ｑに沿って曲率半径が適宜変化する弧状に形成された構造であってもよく、循環される汚水の流速に応じて適宜決定すればよい。
【００３１】
また、各実施形態において、円弧状ガイド壁１８の流入側端部が、流れ方向Ｑに沿って０度より大きな適宜回転角θ１を有して配置された構造を示しているが、前記流入側端部が、流入側の直線流路１２に沿った流れ方向Ｑに対して内側に傾斜する適宜内側入口角θ２を有していればよく、回転角θ１を有していない構造であってもよい。
【００３２】
さらに、長円形のオキシデーションディッチ槽１４における両側の円弧流路１３にそれぞれ円弧状ガイド壁１８が備えられた構造を示しているが、一方のみに備える構造であってもよく、さらには、オキシデーションディッチ槽１４の形状として、長円形に限られず、馬蹄形等であってもよい。
【００３３】
【発明の効果】
以上のように、本発明の水処理装置によれば、弧状ガイド壁における循環水路の流れ方向に面する流入側端部が、直線流路に沿った流れ方向に対して内側に傾斜する内側入口角を有して配置された構造であり、流れに対して弧状ガイド壁はいわゆる迎え角を有して配置された構造となり、翼効果が生じて流れによるうずの発生が抑えられ、流れの抵抗を減らすことができ、弧状ガイド壁の外周面側の汚水の流れが増速され、弧状ガイド壁の内周面側での流れの抵抗を抑えることができ、ここに、弧状ガイド壁内周面側における汚水の入口部付近での流速の低下が有効に防止でき、入口部付近での汚泥の沈降が有効に防止できるという利点がある。
【００３４】
また、弧状ガイド壁における流れ方向に対して前側に位置する流出側端部が、直線流路に沿った流れ方向に対して内側に傾斜する内側出口角を有して配置された構造とすることによって、弧状ガイド壁における汚水の出口部付近での速度分布が滑らかになり、出口部付近での流速のアンバランスに起因する逆流発生が有効に防止でき、出口部付近での汚泥の沈降も有効に防止できるという利点がある。
【００３５】
さらに、弧状ガイド壁の水平断面が流れ方向に沿った翼形状に形成された構造とすれば、弧状ガイド壁による翼効果により、うずの発生がより効果的に抑えることができ、流れの抵抗をより効率よく減らすことができ、弧状ガイド壁外周面側の汚水の流れがより増速され、円弧流路における入口部付近での汚泥の沈降がより有効に防止できると共に、出口部付近での汚泥の沈降もより有効に防止できるという利点がある。
【図面の簡単な説明】
【図１】本発明の第１の実施形態を示す概略平面説明図である。
【図２】第２の実施形態を示す要部平面図である。
【図３】第３の実施形態を示す要部平面図である。
【図４】従来例を示す平面説明図である。
【符号の説明】
１０　水処理装置
１１　隔壁
１２　直線流路
１３　円弧流路
１４　オキシデーションディッチ槽
１７　循環水路
１８　円弧状ガイド壁
【図１】
2004122075.tif 000003
【図２】
2004122075.tif 000004
【図３】
2004122075.tif 000005
【図４】
2004122075.tif 000006